(57)【特許請求の範囲】
【請求項１】
回転駆動源と、
ブラックの現像剤を担持するブラック現像ローラを有するブラック現像器と、
カラーの現像剤を担持するカラー現像ローラを有するカラー現像器と、
前記ブラック現像ローラを回転させるための第１ギヤと、
前記カラー現像ローラを回転させるための第２ギヤと、
前記回転駆動源からの所定方向の回転駆動力を前記第１ギヤおよび前記第２ギヤに伝達する現像駆動伝達機構と、
前記第１ギヤおよび前記第２ギヤに前記回転駆動力が伝達される第１モード、前記第１ギヤに前記回転駆動力が伝達され、前記第２ギヤに前記回転駆動力が伝達されない第２モードと、前記第１ギヤおよび前記第２ギヤに前記回転駆動力が伝達されない第３モードとに切り換える切換機構とを備え、
前記現像駆動伝達機構は、
前記第１ギヤと噛合／噛合解除可能に設けられ、前記回転駆動力が伝達される第１中間ギヤと、
前記第２ギヤと噛合／噛合解除可能に設けられ、前記第１中間ギヤを介して前記回転駆動力が伝達される第２中間ギヤとを含み、
前記切換機構は、
直線移動可能に設けられ、その直線移動により、前記第１中間ギヤおよび前記第２中間ギヤを移動させて、前記第１モードにおいては、前記第１ギヤと前記第１中間ギヤとを噛合させるとともに、前記第２ギヤと前記第２中間ギヤとを噛合させ、前記第２モードにおいては、前記第１ギヤと前記第１中間ギヤとを噛合させ、前記第２ギヤと前記第２中間ギヤとの噛合を解除し、前記第３モードにおいては、前記第１ギヤと前記第１中間ギヤとの噛合を解除する直動カム部材を含む、画像形成装置。
【請求項２】
前記第２中間ギヤは、前記第１ギヤと噛合している、請求項１に記載の画像形成装置。
【請求項３】
前記第２中間ギヤの回転中心は、前記第１ギヤの回転中心と前記第２ギヤの回転中心とを結ぶ線分に対して当該線分上における前記第２ギヤのギヤ歯の移動方向の下流側に配置されている、請求項２に記載の画像形成装置。
【請求項４】
前記直動カム部材には、前記第２中間ギヤを移動させて、前記第２ギヤと前記第２中間ギヤとの噛合を解除するための第２中間ギヤ用カム部が形成されている、請求項２または３に記載の画像形成装置。
【請求項５】
前記第２中間ギヤ用カム部は、前記直動カム部材の移動に伴って、前記第２中間ギヤの回転軸に当接し、前記第２中間ギヤを移動させるための第２中間ギヤ用傾斜面を有し、
前記直動カム部材の移動方向に沿った直線に対する前記第２中間ギヤ用傾斜面の傾斜角度は、前記直線に対する前記第１ギヤの回転中心と前記第２中間ギヤの回転中心とを結ぶ線分の傾斜角度とほぼ同じである、請求項４に記載の画像形成装置。
【請求項６】
前記直動カム部材は、前記第３モードにおいて、前記第２ギヤと前記第２中間ギヤとの噛合を解除する、請求項１〜５のいずれか一項に記載の画像形成装置。
【請求項７】
前記現像駆動伝達機構は、
前記第１中間ギヤと噛合し、前記第１中間ギヤに前記回転駆動力を伝達する第３ギヤをさらに含む、請求項１〜６のいずれか一項に記載の画像形成装置。
【請求項８】
前記第１中間ギヤの回転中心は、前記第１ギヤの回転中心と前記第３ギヤの回転中心とを結ぶ線分に対して当該線分上における前記第１ギヤのギヤ歯の移動方向の下流側に配置されている、請求項７に記載の画像形成装置。
【請求項９】
前記直動カム部材には、前記第１中間ギヤを移動させて、前記第１ギヤと前記第１中間ギヤとの噛合を解除するための第１中間ギヤ用カム部が形成されている、請求項７または８に記載の画像形成装置。
【請求項１０】
前記第１中間ギヤ用カム部は、前記直動カム部材の移動に伴って、前記第１中間ギヤの回転軸に当接し、前記第１中間ギヤを移動させるための第１中間ギヤ用傾斜面を有し、
前記直動カム部材の移動方向に沿った直線に対する前記第１中間ギヤ用傾斜面の傾斜角度は、前記直線に対する前記第１中間ギヤの回転中心と前記第３ギヤの回転中心とを結ぶ線分の傾斜角度とほぼ同じである、請求項９に記載の画像形成装置。
【請求項１１】
前記切換機構は、
前記回転駆動力によって回転する回転部材と、
前記回転部材の回転を前記直動カム部材の往復直線移動に変換するリンク機構とを含む、請求項１〜１０のいずれか一項に記載の画像形成装置。
【請求項１２】
前記ブラック現像ローラからブラックの現像剤像が供給されるブラック感光ドラムと、
前記カラー現像ローラからカラーの現像剤が供給されるカラー感光ドラムと、
前記回転駆動力により、前記第１モードにおいては、前記ブラック感光ドラムおよび前記カラー感光ドラムにそれぞれ前記ブラック現像ローラおよび前記カラー現像ローラを圧接させ、前記第２モードにおいては、前記ブラック感光ドラムに前記ブラック現像ローラを圧接させ、前記カラー感光ドラムと前記カラー現像ローラとの圧接状態を解除し、前記第３モードにおいては、前記ブラック感光ドラムと前記ブラック現像ローラとの圧接状態および前記カラー感光ドラムと前記カラー現像ローラとの圧接状態を解除する押圧機構とをさらに備える、請求項１〜１１のいずれか一項に記載の画像形成装置。
【請求項１３】
前記ブラック現像ローラからブラックの現像剤像が供給されるブラック感光ドラムと、
前記カラー現像ローラからカラーの現像剤が供給されるカラー感光ドラムと、
前記回転駆動力を前記ブラック感光ドラムおよび前記カラー感光ドラムに伝達するドラム駆動伝達機構とをさらに備える、請求項１〜１２のいずれか一項に記載の画像形成装置。
【発明の詳細な説明】
【技術分野】
【０００１】
本発明は、カラープリンタなどの画像形成装置に関する。
【背景技術】
【０００２】
カラープリンタの一例では、イエロー、マゼンタ、シアンおよびブラックの各色に対応した感光体ドラムが並列に配置されている。各感光体ドラムに対応づけて、感光体ドラムにトナー像を形成するための現像ユニットが設けられている。
【０００３】
カラー画像の形成時には、各現像ユニットが駆動されて、各感光体ドラムにトナー像が形成される。そして、各感光体ドラムに形成されたトナー像が直接または中間転写ベルトを介して用紙に転写されることにより、各色のトナー像の重ね合わせからなるカラー画像が用紙に形成される。
【０００４】
一方、モノクロ画像の形成時には、ブラックの感光体ドラムのみにトナー像が形成され、そのブラックのトナー像が直接または中間転写ベルトを介して用紙に転写されるとよい。そのため、モノクロ画像の形成時には、ブラックの現像ユニットのみを駆動させ、イエロー、マゼンタおよびシアンの現像ユニットを駆動させる必要がない。
【０００５】
そこで、ブラックの現像ユニットに駆動力を伝達するためのギヤ列と、イエロー、マゼンタ、シアンおよびブラックの各現像ユニットに駆動力を伝達するためのギヤ列とを分けて設け、それらのギヤ列に駆動力を選択的に入力するようにした構成が提案されている。
【０００６】
１つの提案に係る構成では、２つのギヤ列の間に揺動ギヤが設けられている。揺動ギヤには、モータの駆動力（回転）が入力されるようになっている。モータが第１の方向に回転されると、揺動ギヤが一方のギヤ列に噛合して、揺動ギヤの回転がそのギヤ列を介して各現像ユニットに伝達される。モータが第１の方向と反対の第２の方向に回転されると、揺動ギヤが他方のギヤ列に噛合して、揺動ギヤの回転がそのギヤ列を介してブラックの現像ユニットのみに伝達される。これにより、モノクロ画像の形成時には、イエロー、マゼンタおよびシアンの現像ユニットの駆動を停止させておくことができるので、それらの現像ユニット内のトナーの劣化などを抑制することができる。
【先行技術文献】
【特許文献】
【０００７】
【特許文献１】特開２００７−７２０２１号公報
【発明の概要】
【発明が解決しようとする課題】
【０００８】
しかしながら、その提案に係る構成では、モータがカラー画像の形成時とモノクロ画像の形成時とで互いに逆方向に回転されるので、そのモータをカラープリンタに備えられる他の部材の駆動源として使用することが困難である。たとえば、感光体ドラムや用紙を搬送するためのローラなどは、常に一方向に回転させなければならないので、これらの駆動源として現像ユニットの駆動源であるモータを使用することは困難である。
【０００９】
本発明の目的は、回転駆動源の回転駆動力をブラック現像ローラおよびカラー現像ローラの両方またはブラック現像ローラのみに切り換えて伝達することができながら、回転駆動源を他の部材の駆動源としても使用することができる、画像形成装置を提供することである。
【課題を解決するための手段】
【００１０】
前記の目的を達成するため、本発明は、画像形成装置において、回転駆動源と、ブラックの現像剤を担持するブラック現像ローラを有するブラック現像器と、カラーの現像剤を担持するカラー現像ローラを有するカラー現像器と、前記ブラック現像ローラを回転させるための第１ギヤと、前記カラー現像ローラを回転させるための第２ギヤと、前記回転駆動源からの所定方向の回転駆動力を前記第１ギヤおよび前記第２ギヤに伝達する現像駆動伝達機構と、前記第１ギヤおよび前記第２ギヤに前記回転駆動力が伝達される第１モードと、前記第１ギヤに前記回転駆動力が伝達され、前記第２ギヤに前記回転駆動力が伝達されない第２モードと、前記第１ギヤおよび前記第２ギヤに前記回転駆動力が伝達されない第３モードとに切り換える切換機構とを備え、前記現像駆動伝達機構は、前記第１ギヤと噛合／噛合解除可能に設けられ、前記回転駆動力が伝達される第１中間ギヤと、前記第２ギヤと噛合／噛合解除可能に設けられ、前記第１中間ギヤを介して前記回転駆動力が伝達される第２中間ギヤとを含み、前記切換機構は、直線移動可能に設けられ、その直線移動により、前記第１中間ギヤおよび前記第２中間ギヤを移動させて、前記第１モードにおいては、前記第１ギヤと前記第１中間ギヤとを噛合させるとともに、前記第２ギヤと前記第２中間ギヤとを噛合させ、前記第２モードにおいては、前記第１ギヤと前記第１中間ギヤとを噛合させ、前記第２ギヤと前記第２中間ギヤとの噛合を解除し、前記第３モードにおいては、前記第１ギヤと前記第１中間ギヤとの噛合を解除する直動カム部材を含むことを特徴としている。
【発明の効果】
【００１１】
本発明によれば、ブラック現像ローラを回転させるための第１ギヤと、カラー現像ローラを回転させるための第２ギヤとが設けられている。第１ギヤおよび第２ギヤには、現像駆動伝達機構により、回転駆動源からの所定方向の回転駆動力が伝達される。
【００１２】
画像形成装置は、現像駆動伝達機構による駆動伝達のモードとして、第１モード、第２モードおよび第３モードを有している。第１モード、第２モードおよび第３モード間の切換えは、切換機構によって行われる。切換機構には、直動カム部材が含まれている。また、現像駆動伝達機構には、第１中間ギヤおよび第２中間ギヤが含まれている。第２中間ギヤには、回転駆動源からの回転駆動力が第１中間ギヤを介して伝達される。直動カム部材の直線移動により、第１中間ギヤおよび第２中間ギヤが選択的に移動されて、第１中間ギヤおよび第２中間ギヤがそれぞれ第１ギヤおよび第２ギヤと噛合し、また、その噛合が解除される。
【００１３】
第１モードでは、第１中間ギヤおよび第２中間ギヤがそれぞれ第１ギヤおよび第２ギヤと噛合する。これにより、第１中間ギヤから第１ギヤに回転駆動力が伝達されるとともに、第１中間ギヤから第２中間ギヤを介して第２ギヤに回転駆動力が伝達される。その結果、ブラック現像ローラおよびカラー現像ローラが回転する。
【００１４】
第２モードでは、第１ギヤと第１中間ギヤとが噛合し、第２ギヤと第２中間ギヤとの噛合が解除される。これにより、第１中間ギヤから第１ギヤに回転駆動力が伝達される。第１中間ギヤを介して第２中間ギヤに回転駆動力が伝達されても、第２ギヤと第２中間ギヤとが噛合していないので、第２ギヤには回転駆動力が伝達されない。そのため、ブラック現像ローラは回転し、カラー現像ローラは回転しない。
【００１５】
第３モードでは、第１ギヤと第１中間ギヤとの噛合が解除される。これにより、第１中間ギヤから第１ギヤに回転駆動力が伝達されない。第１ギヤに回転駆動力が伝達されないので、たとえば、第２中間ギヤが第１ギヤと噛合し、第１中間ギヤから第１ギヤを介して第２中間ギヤに回転駆動力が伝達される構成であれば、第２中間ギヤに回転駆動力が伝達されず、第２ギヤにも回転駆動力が伝達されない。したがって、ブラック現像ローラおよびカラー現像ローラは回転しない。
【００１６】
このように、回転駆動源の回転駆動力をブラック現像ローラおよびカラー現像ローラの両方またはブラック現像ローラのみに切り換えて伝達することができる。よって、ブラック現像ローラを回転させる必要がないときには、ブラック現像ローラを停止させておくことができる。また、カラー現像ローラを回転させる必要がないときには、カラー現像ローラを停止させておくことができる。その結果、ブラック現像ローラおよびカラー現像ローラの無駄な回転による現像剤の劣化ならびにブラック現像ローラおよびカラー現像ローラの摩耗を防止することができる。
【００１７】
そして、第１モード、第２モードおよび第３モードのいずれにおいても、回転駆動源から所定方向の回転駆動力が出力される。そのため、回転駆動源をブラック現像ローラおよびカラー現像ローラ以外の部材の駆動源としても使用することができる。
【図面の簡単な説明】
【００１８】
【図１】図１は、本発明の画像形成装置の一例としてのカラープリンタの模式的な断面図である。
【図２】図２は、カラープリンタの駆動機構の斜視図である。
【図３】図３は、駆動機構の左側面図であり、カラーモード時の状態を示す。
【図４】図４は、駆動機構の左側面図であり、モノクロモード時の状態を示す。
【図５】図５は、駆動機構の左側面図であり、非駆動モード時の状態を示す。
【発明を実施するための形態】
【００１９】
以下では、本発明の実施の形態について、添付図面を参照しつつ詳細に説明する。
１．カラープリンタの全体構成
図１に示されるように、画像形成装置の一例としてのカラープリンタ１は、本体ケーシング２を備えている。本体ケーシング２の正面には、カバーの一例としてのフロントカバー３が開口４を開閉可能に設けられている。
【００２０】
なお、カラープリンタ１の正面側は、前後方向における前側である。また、カラープリンタ１が平面上に載置された状態で、その平面に直交する方向が上下方向である。そして、平面上に載置されたカラープリンタ１を前側から見て、カラープリンタ１の左右を規定する。
【００２１】
本体ケーシング２内には、４つの感光ドラム５が設けられている。各感光ドラム５は、その周面が左右方向に延びる回転軸線を中心に回転可能なように設けられている。４つの感光ドラム５は、それぞれブラック、イエロー、マゼンタおよびシアン用であり、後側からブラック、イエロー、マゼンタおよびシアン用の順に前後方向に等間隔で並列に配置されている。
【００２２】
各感光ドラム５の周囲には、帯電器６、現像器７および回収部材８が設けられている。帯電器６は、感光ドラム５の後上方に配置されている。現像器７は、感光ドラム５の前上方に配置されている。回収部材８は、感光ドラム５の後方に配置されている。
【００２３】
現像器７は、現像剤の一例としてのトナーを収容する現像筐体７１と、現像筐体７１に保持される現像ローラ７２とを備えている。現像筐体７１の下端部には、左右方向に長い開口が形成されている。現像ローラ７２は、左右方向に延びる回転軸線を中心に回転可能なように、現像筐体７１の下端部に設けられている。現像ローラ７２の周面の一部は、現像筐体７１の下端部の開口から露出し、感光ドラム５の表面（周面）に接触している。また、現像筐体７１の左側面および右側面の上端部には、円柱状の押圧ボス７３がそれぞれ左方および右方に突出して設けられている。
【００２４】
なお、イエロー、マゼンタおよびシアンの感光ドラム５を総称するときは、「カラー感光ドラム５」という。また、ブラックの感光ドラム５をカラー感光ドラム５と区別するときには、ブラックの感光ドラム５を「ブラック感光ドラム５」という。そして、カラー感光ドラム５に対応して設けられている現像器７を「カラー現像器７」といい、ブラック感光ドラム５に対応して設けられている現像器７を「ブラック現像器７」という。
【００２５】
本体ケーシング２内の最上部には、各色に対応した４本のレーザビームを出射する露光器１０が配置されている。
【００２６】
画像形成時において、感光ドラム５は、左側から見て時計回りに回転される。感光ドラム５の回転に伴って、感光ドラム５の表面は、帯電器６からの放電により一様に帯電された後、露光器１０からのレーザビームにより選択的に露光される。この露光によって、感光ドラム５の表面から電荷が選択的に除去され、感光ドラム５の表面に静電潜像が形成される。静電潜像は、現像器７の現像ローラ７２からのトナーの供給により、トナー像に現像される。
【００２７】
また、本体ケーシング２内には、上下方向の中央より少し下方の位置に、用紙搬送ベルト１１が設けられている。用紙搬送ベルト１１は、２つのローラ１２，１３に巻回された無端状のベルトである。２つのローラ１２，１３は、上下方向において同じ位置に配置され、前後方向に間隔を空けて配置されている。これにより、用紙搬送ベルト１１は、２つのローラ１２，１３の各上端間において、前後方向および左右方向に延びる平面状部分を有している。この平面状部分は、４つの感光ドラム５と接触している。
【００２８】
用紙搬送ベルト１１の平面状部分を挟んで各感光ドラム５と対向する位置には、転写ローラ１４が配置されている。用紙搬送ベルト１１および４つの転写ローラ１４により、転写ベルトの一例が構成されている。
【００２９】
本体ケーシング２の底部には、シートの一例としての用紙Ｐを収容する給紙カセット１５が配置されている。給紙カセット１５に収容されている用紙Ｐは、各種ローラにより、用紙搬送ベルト１１の平面状部分上に送り込まれる。そして、用紙Ｐは、用紙搬送ベルト１１により、用紙搬送ベルト１１と各感光ドラム５との間を通して後方に搬送される。
【００３０】
画像形成時において、用紙搬送ベルト１１は、左側から見て反時計回りに周回走行する。転写ローラ１４には、転写バイアスが供給されている。用紙Ｐにモノクロ画像が形成されるときには、ブラックの感光ドラム５の表面にトナー像が形成される。そして、そのトナー像は、転写バイアスの作用により、用紙搬送ベルト１１によって搬送される用紙Ｐに転写される。これにより、用紙Ｐには、ブラックのトナー像からなるモノクロ画像が形成される。また、用紙Ｐにカラー画像が形成されるときには、２つ以上の感光ドラム５の表面にトナー像が形成される。そして、それらのトナー像は、転写バイアスの作用により、用紙搬送ベルト１１によって搬送される用紙Ｐに互いに重ね合わせて転写される。これにより、用紙Ｐには、各色のトナー像の重ね合わせによるカラー画像が形成される。
【００３１】
感光ドラム５から用紙Ｐへのトナー像の転写後に、感光ドラム５の表面に残留するトナーなどの付着物は、回収部材８に供給されている回収バイアスの作用により、感光ドラム５の表面から回収部材８に回収される。
【００３２】
用紙搬送ベルト１１の後方には、定着器１６が設けられている。トナー像が転写された用紙Ｐは、定着器１６に搬送される。定着器１６では、加熱および加圧により、トナー像が用紙Ｐに定着される。トナー像が定着した用紙Ｐは、各種ローラにより、本体ケーシング２の上面の排紙トレイ１７に排出される。
２．駆動機構
本体ケーシング２内には、図２に示されるように、回転駆動源の一例としてのモータ２１が設けられている。そして、本体ケーシング２内には、モータ２１の出力軸に取り付けられたギヤ２２と噛合するモータギヤ２３と、モータギヤ２３と噛合する２段ギヤ２４と、４つの現像ギヤ２５と、２段ギヤ２４の回転（モータ２１からの回転駆動力）を現像ギヤ２５に伝達するための現像駆動伝達機構２６と、現像駆動伝達機構２６による回転駆動力の伝達／遮断を切り換える切換機構２７と、現像ローラ７２が感光ドラム５に圧接する方向に現像器７を押圧するための押圧機構２８とが設けられている。
２−１．２段ギヤ
２段ギヤ２４は、相対的に大径のモータギヤ噛合部３１および相対的に小径の現像伝達ギヤ噛合部３２を一体的に備えている。モータギヤ噛合部３１および現像伝達ギヤ噛合部３２は、共通の回転軸３３を中心に回転可能に設けられている。回転軸３３は、たとえば、本体ケーシング２に支持されている。２段ギヤ２４は、モータギヤ２３の前方に配置されている。モータギヤ噛合部３１は、モータギヤ２３と噛合している。
【００３３】
また、モータギヤ噛合部３１には、モータギヤ噛合部３１の回転（モータ２１からの回転駆動力）を感光ドラム５に伝達するためのギヤ列（図示せず）が接続されている。これにより、そのギヤ列および２段ギヤ２４のモータギヤ噛合部３１は、ドラム駆動伝達機構の一例をなしている。
２−２．現像ギヤ
４つの現像ギヤ２５は、各現像器７の現像筐体７１の左側面に回転可能に設けられ、前後方向に等間隔で配置されている。現像ギヤ２５に伝達される回転駆動力により、現像ローラ７２など、現像器７に備えられる各部材（回転駆動力によって回転する部材）が回転する。
２−３．現像駆動伝達機構
現像駆動伝達機構２６には、第１現像伝達ギヤ３４、第２現像伝達ギヤ３５、第３ギヤの一例としての第３現像伝達ギヤ３６、第１中間ギヤ３７、第２中間ギヤ３８、第３中間ギヤ３９および第４中間ギヤ４０が含まれる。第１現像伝達ギヤ３４、第２現像伝達ギヤ３５、第３現像伝達ギヤ３６、第１中間ギヤ３７、第２中間ギヤ３８、第３中間ギヤ３９および第４中間ギヤ４０は、たとえば、本体ケーシング２に回転可能に支持されている。
【００３４】
第１現像伝達ギヤ３４は、現像伝達ギヤ噛合部３２の前方に配置され、現像伝達ギヤ噛合部３２と噛合している。
【００３５】
第２現像伝達ギヤ３５は、第１現像伝達ギヤ３４の下方に配置され、第１現像伝達ギヤ３４と噛合している。
【００３６】
第３現像伝達ギヤ３６は、第２現像伝達ギヤ３５のやや前下方であって、４つの現像ギヤ２５と同じ高さの位置に配置されている。第３現像伝達ギヤ３６は、第２現像伝達ギヤ３５と噛合している。
【００３７】
第１中間ギヤ３７の回転軸４１は、第３現像伝達ギヤ３６の回転中心とブラック現像器７の現像ギヤ２５の回転中心とを結ぶ線分に対して上方に配置されて、本体ケーシング２に回転可能かつ上下方向に移動可能に支持されている。そして、第１中間ギヤ３７は、第３現像伝達ギヤ３６およびブラック現像器７の現像ギヤ２５に対して、それらの上方から噛合している。
【００３８】
なお、ブラック現像器７の現像ギヤ２５は、第１ギヤの一例である。以下では、ブラック現像器７の現像ギヤ２５を「ブラック現像ギヤ２５」という。
【００３９】
第２中間ギヤ３８の回転軸４２は、ブラック現像ギヤ２５の回転中心とイエローの現像器７の現像ギヤ２５の回転中心とを結ぶ線分に対して上方に配置されて、本体ケーシング２に回転可能かつ上下方向に移動可能に支持されている。そして、第２中間ギヤ３８は、ブラック現像ギヤ２５およびイエローの現像器７の現像ギヤ２５に対して、それらの上方から噛合している。
【００４０】
なお、イエローの現像器７の現像ギヤ２５は、第２ギヤの一例である。以下では、イエローの現像器７の現像ギヤ２５を「イエロー現像ギヤ２５」という。
【００４１】
第３中間ギヤ３９の回転軸４３は、イエロー現像ギヤ２５の回転中心とマゼンタの現像器７の現像ギヤ２５の回転中心とを結ぶ線分に対して上方に配置されて、本体ケーシング２に回転可能かつ上下方向に移動可能に支持されている。そして、第３中間ギヤ３９は、イエロー現像ギヤ２５およびマゼンタの現像器７の現像ギヤ２５に対して、それらの上方から噛合している。
【００４２】
第４中間ギヤ４０の回転軸４４は、マゼンタの現像器７の現像ギヤ２５の回転中心とシアンの現像器７の現像ギヤ２５の回転中心とを結ぶ線分に対して上方に配置されて、本体ケーシング２に回転可能かつ上下方向に移動可能に支持されている。そして、第４中間ギヤ４０は、マゼンタの現像器７の現像ギヤ２５およびシアンの現像器７の現像ギヤ２５に対して、それらの上方から噛合している。
２−４．切換機構
切換機構２７には、直動カム部材の一例としての駆動切断カム部材５１と、モータ２１からの回転駆動力がモータギヤ２３および電磁クラッチ５２を介して伝達される回転部材５３と、回転部材５３の回転を駆動切断カム部材５１の往復直線移動に変換するリンク機構５４とが含まれる。
【００４３】
駆動切断カム部材５１は、左右方向に厚みを有する細長い薄板状に形成され、現像駆動伝達機構２６の左方で前後方向に延びるように配置されている。
【００４４】
駆動切断カム部材５１には、後端から前方に間隔を空けた位置に、第１中間ギヤ用カム部５５が上方に突出して形成されている。第１中間ギヤ用カム部５５は、側面視台形状をなしている。具体的には、第１中間ギヤ用カム部５５は、駆動切断カム部材５１の後端部の上面に連続し、その上面に対して前上方に傾斜して延びる第１中間ギヤ用傾斜面５６と、第１中間ギヤ用傾斜面５６の前端縁から前後方向（駆動切断カム部材５１の後端部の上面と平行な方向）に延びる上面５７と、上面５７の前端縁から下方に延び、駆動切断カム部材５１の上面に接続される前面５８とを有している。駆動切断カム部材５１の上面に対する第１中間ギヤ用傾斜面５６の傾斜角度は、駆動切断カム部材５１の上面に対する第３現像伝達ギヤ３６の回転中心と第１中間ギヤ３７の回転中心とを結ぶ線分の傾斜角度とほぼ同じである。
【００４５】
また、駆動切断カム部材５１には、第１中間ギヤ用カム部５５に対して前方に間隔を空けた位置に、第２中間ギヤ用カム部５９が上方に突出して形成されている。第２中間ギヤ用カム部５９は、側面視台形状をなしている。具体的には、第２中間ギヤ用カム部５９は、駆動切断カム部材５１の上面に連続し、その上面に対して前上方に傾斜して延びる第２中間ギヤ用傾斜面６０と、第２中間ギヤ用傾斜面６０の前端縁から前後方向（駆動切断カム部材５１の上面と平行な方向）に延びる上面６１とを有している。駆動切断カム部材５１の上面に対する第２中間ギヤ用傾斜面６０の傾斜角度は、駆動切断カム部材５１の上面に対するブラック現像ギヤ２５の回転中心と第２中間ギヤ３８の回転中心と第１中間ギヤ３７の回転中心とを結ぶ線分の傾斜角度とほぼ同じである。
【００４６】
回転部材５３は、中心軸線が左右方向に延びる円板状をなし、本体ケーシング２に回転可能に支持されている。
【００４７】
リンク機構５４には、駆動切断カム部材５１の後端部から左方に突出する前リンク軸６２と、回転部材５３から左方に突出する後リンク軸６３と、左右方向に厚みを有する細長い薄板状に形成され、一端部（前端部）に前リンク軸６２が回動可能に挿通され、他端部（後端部）に後リンク軸６３が回動可能に挿通されたリンク部材６４とが含まれる。
２−５．押圧機構
押圧機構２８には、１対の押圧直動部材６５と、左側の押圧直動部材６５に駆動力を伝達する押圧駆動伝達機構６６（図３参照）と、右側の押圧直動部材６５を左側の押圧直動部材６５と同期して移動させるための同期移動機構６７とが含まれる。
【００４８】
１対の押圧直動部材６５は、現像駆動伝達機構２６および切換機構２７の上方で、左右方向に互いに間隔を空けて配置されている。各押圧直動部材６５は、前後方向に延び、左右方向に厚みを有する細長い薄板状をなし、本体ケーシング２内のホルダ（図示せず）により、前後方向に移動可能に保持されている。
【００４９】
各押圧直動部材６５の左右方向の内側面には、４つの現像器７の押圧ボス７３に対応づけて、４つの押圧作用部６８が形成されている。４つの押圧作用部６８は、前後方向に互いに隣り合う２つの押圧作用部６８の各前端縁間の間隔が一定となるように、前後方向に並べて形成されている。ブラック現像器７の押圧ボス７３に対応する押圧作用部６８、つまり最後方の押圧作用部６８は、残りの３つの押圧作用部６８よりも前後方向に長く形成されている。この寸法の違いにより、後述するように、すべての現像ローラ７２を感光ドラム５に圧接（押圧）させたり、ブラック現像器７の現像ローラ７２（以下「ブラック現像ローラ７２」という。）のみを感光ドラム５に圧接させたり、すべての現像ローラ７２を感光ドラム５に圧接させたり、その圧接を解除したりすることができる。
【００５０】
押圧駆動伝達機構６６には、図３に示されるように、駆動切断カム部材５１の前端部の上面に形成された出力ラックギヤ８１と、出力ラックギヤ８１と噛合する第１伝達ギヤ８２と、第１伝達ギヤ８２と噛合する第２伝達ギヤ８３と、第２伝達ギヤ８３と噛合する第３伝達ギヤ８４と、左側の押圧直動部材６５の前端部の下面に形成され、第３伝達ギヤ８４と噛合する入力ラックギヤ８５とが含まれる。第１伝達ギヤ８２、第２伝達ギヤ８３および第３伝達ギヤ８４は、本体ケーシング２に回転可能に支持されている。
【００５１】
同期移動機構６７には、図２に示されるように、各押圧直動部材６５の後端部の上面に形成されたラックギヤ８６と、各ラックギヤ８６に噛合するピニオンギヤ８７と、左右のピニオンギヤ８７が相対回転不能に取り付けられる連結軸８８とが含まれる。
３．動作
カラープリンタ１は、動作モードとして、用紙Ｐにカラー画像を形成するカラーモードと、用紙Ｐにモノクロ画像を形成するモノクロモードと、すべての現像器７の現像ローラ７２が駆動されない非駆動モードとを有している。
【００５２】
第１モードの一例としてのカラーモードでは、図３に示されるように、後リンク軸６３が回転部材５３の回転中心の前方に位置して、駆動切断カム部材５１およびリンク部材６４が前後方向に一直線状に延びている。このとき、第１中間ギヤ用カム部５５および第２中間ギヤ用カム部５９は、それぞれ第１中間ギヤ３７の回転軸４１および第２中間ギヤ３８の回転軸４２の前方に位置している。第１中間ギヤ３７の回転軸４１と第１中間ギヤ用カム部５５の第１中間ギヤ用傾斜面５６との間には、第２中間ギヤ３８の回転軸４２と第２中間ギヤ用カム部５９の第２中間ギヤ用傾斜面６０との間の間隔よりも大きい間隔が空いている。
【００５３】
そして、第１中間ギヤ３７は、第３現像伝達ギヤ３６およびブラック現像ギヤ２５と噛合している。第２中間ギヤ３８は、ブラック現像ギヤ２５およびイエロー現像ギヤ２５と噛合している。第３中間ギヤ３９は、イエロー現像ギヤ２５およびマゼンタの現像器７の現像ギヤ２５と噛合している。第４中間ギヤ４０は、マゼンタの現像器７の現像ギヤ２５およびシアンの現像器７の現像ギヤ２５と噛合している。
【００５４】
モータ２１が駆動されると、モータ２１からの回転駆動力により、モータギヤ２３が左側から見て時計回りに回転する。これに伴い、モータギヤ２３と噛合している２段ギヤ２４が左側から見て反時計回りに回転する。また、２段ギヤ２４の現像伝達ギヤ噛合部３２と噛合している第１現像伝達ギヤ３４が左側から見て時計回りに回転し、第１現像伝達ギヤ３４と噛合している第２現像伝達ギヤ３５が左側から見て反時計回りに回転する。さらに、第２現像伝達ギヤ３５と噛合している第３現像伝達ギヤ３６が左側から見て時計回りに回転する。
【００５５】
そして、第１中間ギヤ３７が第３現像伝達ギヤ３６およびブラック現像ギヤ２５と噛合しているので、第３現像伝達ギヤ３６の回転に伴って、第１中間ギヤ３７が左側から見て反時計回りに回転し、ブラック現像ギヤ２５が左側から見て時計回りに回転する。
【００５６】
また、第２中間ギヤ３８がブラック現像ギヤ２５およびイエロー現像ギヤ２５と噛合しているので、ブラック現像ギヤ２５の回転に伴って、第２中間ギヤ３８が左側から見て反時計回りに回転し、イエロー現像ギヤ２５が左側から見て時計回りに回転する。
【００５７】
さらに、第３中間ギヤ３９がイエロー現像ギヤ２５およびマゼンタの現像器７の現像ギヤ２５と噛合しているので、イエロー現像ギヤ２５の回転に伴って、第３中間ギヤ３９が左側から見て反時計回りに回転し、マゼンタの現像器７の現像ギヤ２５が左側から見て時計回りに回転する。
【００５８】
また、第４中間ギヤ４０がマゼンタの現像器７の現像ギヤ２５およびシアンの現像器７の現像ギヤ２５と噛合しているので、マゼンタの現像器７の現像ギヤ２５の回転に伴って、第４中間ギヤ４０が左側から見て反時計回りに回転し、シアンの現像器７の現像ギヤ２５が左側から見て時計回りに回転する。
【００５９】
このように、カラーモードでは、モータ２１からの回転駆動力がすべての現像器７の現像ギヤ２５に伝達されて、すべての現像ギヤ２５が回転する。その結果、すべての現像器７の現像ローラ７２が回転する。
【００６０】
また、カラーモードでは、押圧直動部材６５の各押圧作用部６８（図２参照）が各現像器７の押圧ボス７３に上方から押圧している。これにより、すべての現像ローラ７２が感光ドラム５に圧接している。
【００６１】
押圧駆動伝達機構６６において、第１伝達ギヤ８２は、出力ラックギヤ８１の後端部と噛合し、第３伝達ギヤ８４は、入力ラックギヤ８５の前端部と噛合している。
【００６２】
同期移動機構６７において、ピニオンギヤ８７は、ラックギア８５の前端部と噛合している。
【００６３】
カラーモードから第２モードの一例としてのモノクロモードに移行されるときには、電磁クラッチ５２が伝達状態にされて、モータ２１からの回転駆動力が回転部材５３に伝達され、回転部材５３が左側から見て反時計回りに約９０°回転される。回転部材５３の回転に伴って、図４に示されるように、後リンク軸６３が回転部材５３の回転中心に対する前方の位置から上方の位置に移動し、リンク部材６４の後端部が後上方に円弧を描きながら移動する。このリング部材６４の移動に伴って、駆動切断カム部材５１が前後方向に延びた姿勢のまま、後方に移動する。
【００６４】
駆動切断カム部材５１の移動の途中で、第２中間ギヤ用カム部５９の第２中間ギヤ用傾斜面６０が第２中間ギヤ３８の回転軸４２に当接する。そして、その当接後の駆動切断カム部材５１の移動に伴って、回転軸４２は、第２中間ギヤ用傾斜面６０上を上面６１に向けて移動し、第２中間ギヤ用傾斜面６０から後上方に向かう力を受ける。これにより、第２中間ギヤ３８は、ブラック現像ギヤ２５との噛合状態を維持したまま、後上方に移動し、イエロー現像ギヤ２５から離間する。その結果、図４に示されるように、第２中間ギヤ３８とイエロー現像ギヤ２５との噛合が解除される。
【００６５】
回転部材５３の回転が停止した時点で、回転軸４２は、第２中間ギヤ用カム部５９の上面６１上に位置し、その後は、第２中間ギヤ３８とイエロー現像ギヤ２５との噛合が解除された状態が維持される。
【００６６】
また、駆動切断カム部材５１の後方への移動に伴って、第１伝達ギヤ８２が左側から見て時計回りに回転する。第１伝達ギヤ８２の回転に伴って、第２伝達ギヤ８３が左側から見て反時計回りに回転し、さらに、第３伝達ギヤ８４が左側から見て時計回りに回転する。そして、第３伝達ギヤ８４の回転に伴って、押圧直動部材６５が前方に移動し、カラー現像器７の押圧ボス７３から押圧作用部６８が離間する。その結果、カラー感光ドラム５に対するカラー現像器７の現像ローラ７２の圧接状態が解除される。ブラック現像器７の押圧ボス７３は、押圧作用部６８によって依然として上方から押圧されており、ブラック現像ローラ７２は、ブラック感光ドラム５に圧接している。
【００６７】
モノクロモードでは、第２中間ギヤ３８とイエロー現像ギヤ２５との噛合が解除された状態で、モータ２１が駆動される。モータ２１からの回転駆動力は、カラーモード時と同様に、モータギヤ２３、２段ギヤ２４、第１現像伝達ギヤ３４、第２現像伝達ギヤ３５、第３現像伝達ギヤ３６および第１中間ギヤ３７を介して、ブラック現像ギヤ２５に伝達される。また、ブラック現像ギヤ２５と第２中間ギヤ３８とが噛合しているので、第２中間ギヤ３８が左側から見て反時計回りに回転する。しかし、第２中間ギヤ３８とイエロー現像ギヤ２５との噛合が解除されているので、第２中間ギヤ３８の回転は、イエロー現像ギヤ２５に伝達されない。
【００６８】
これにより、モノクロモードでは、ブラック現像ギヤ２５が回転し、その他の現像器７の現像ギヤ２５は回転しない。その結果、イエロー、マゼンタおよびシアンの現像器７の現像ローラ７２が停止したまま、ブラック現像ローラ７２が回転する。
【００６９】
モノクロモードから第３モードの一例としての非駆動モードに移行されるときには、電磁クラッチ５２が伝達状態にされて、モータ２１からの回転駆動力が回転部材５３に伝達され、回転部材５３が左側から見て反時計回りに約９０°回転される。回転部材５３の回転に伴って、図５に示されるように、後リンク軸６３が回転部材５３の回転中心に対する上方の位置から後方の位置に移動し、リンク部材６４の後端部が後下方に円弧を描きながら移動する。このリング部材６４の移動に伴って、駆動切断カム部材５１が前後方向に延びた姿勢のまま、後方に移動する。
【００７０】
駆動切断カム部材５１の移動の途中で、第１中間ギヤ用カム部５５の第１中間ギヤ用傾斜面５６が第１中間ギヤ３７の回転軸４１に当接する。そして、その当接後の駆動切断カム部材５１の移動に伴って、回転軸４１は、第１中間ギヤ用傾斜面５６上を上面５７に向けて移動し、第１中間ギヤ用傾斜面５６から後上方に向かう力を受ける。これにより、第１中間ギヤ３７は、第３現像伝達ギヤ３６との噛合状態を維持したまま、後上方に移動し、ブラック現像ギヤ２５から離間する。その結果、図５に示されるように、第１中間ギヤ３７とブラック現像ギヤ２５との噛合が解除される。
【００７１】
回転部材５３の回転が停止した時点で、回転軸４１は、第１中間ギヤ用カム部５５の上面５７上に位置し、その後は、第１中間ギヤ３７とブラック現像ギヤ２５との噛合が解除された状態が維持される。
【００７２】
また、駆動切断カム部材５１の後方への移動に伴って、第１伝達ギヤ８２が左側から見て時計回りに回転する。第１伝達ギヤ８２の回転に伴って、第２伝達ギヤ８３が左側から見て反時計回りに回転し、さらに、第３伝達ギヤ８４が左側から見て時計回りに回転する。そして、第３伝達ギヤ８４の回転に伴って、押圧直動部材６５が前方に移動し、ブラック現像器７の押圧ボス７３から押圧作用部６８が離間する。これにより、ブラック感光ドラム５に対するブラック現像器７の現像ローラ７２の圧接状態が解除される。その結果、すべての感光ドラム５に対する現像ローラ７２の圧接状態が解除される。
【００７３】
非駆動モードでは、第１中間ギヤ３７とブラック現像ギヤ２５との噛合が解除されているので、モータ２１が駆動されても、モータ２１からの回転駆動力がブラック現像ギヤ２５に伝達されない。そのため、すべての現像器７の現像ローラ７２の回転が停止されたまま、モータ２１からの回転駆動力により、現像ローラ７２以外の部材を駆動することができる。
【００７４】
非駆動モードからフルカラーモードに戻されるときには、電磁クラッチ５２が伝達状態にされて、モータ２１からの回転駆動力が回転部材５３に伝達され、回転部材５３が左側から見て反時計回りに約１８０°回転される。回転部材５３の回転に伴って、後リンク軸６３が回転部材５３の回転中心に対する後方の位置から前方の位置に移動し、リンク部材６４の後端部が円弧を描きながら移動する。このリング部材６４の移動に伴って、駆動切断カム部材５１が前後方向に延びた姿勢のまま、前方に移動する。
【００７５】
駆動切断カム部材５１の移動の途中で、第１中間ギヤ３７の回転軸４１が第１中間ギヤ用カム部５５の上面５７上から第１中間ギヤ用傾斜面５６上に移動する。そして、その後の駆動切断カム部材５１の移動に伴って、回転軸４１は、第１中間ギヤ用傾斜面５６に沿って下方に移動する。これにより、第１中間ギヤ３７は、第３現像伝達ギヤ３６との噛合状態を維持したまま、前下方に移動し、ブラック現像ギヤ２５に噛合する。
【００７６】
駆動切断カム部材５１の移動の途中で、第２中間ギヤ３８の回転軸４２が第２中間ギヤ用カム部５９の上面６１上から第２中間ギヤ用傾斜面６０上に移動する。そして、その後の駆動切断カム部材５１の移動に伴って、回転軸４２は、第２中間ギヤ用傾斜面６０に沿って下方に移動する。これにより、第２中間ギヤ３８は、ブラック現像ギヤ２５との噛合状態を維持したまま、前下方に移動し、イエロー現像ギヤ２５に噛合する。
４．作用効果
４−１．作用効果１
以上のように、ブラック現像ローラ７２を回転させるためのブラック現像ギヤ２５と、イエローの現像器７の現像ローラ７２を回転させるためのイエロー現像ギヤ２５とが設けられている。ブラック現像ギヤ２５およびイエロー現像ギヤ２５には、現像駆動伝達機構２６により、モータ２１からの所定方向の回転駆動力が伝達される。
【００７７】
なお、イエローの現像器７の現像ローラ７２は、カラー現像ローラの一例である。
【００７８】
カラープリンタ１は、カラーモード、モノクロモードおよび非駆動モードを有している。カラーモード、モノクロモードおよび非駆動モード間の切換えは、切換機構２７によって行われる。切換機構２７には、駆動切断カム部材５１が含まれている。また、現像駆動伝達機構２６には、第１中間ギヤ３７および第２中間ギヤ３８が含まれている。第２中間ギヤ３８には、モータ２１からの回転駆動力が第１中間ギヤ３７を介して伝達される。駆動切断カム部材５１の直線移動により、第１中間ギヤ３７および第２中間ギヤ３８が選択的に移動されて、第１中間ギヤ３７および第２中間ギヤ３８がそれぞれブラック現像ギヤ２５およびイエロー現像ギヤ２５と噛合し、また、その噛合が解除される。
【００７９】
カラーモードでは、第１中間ギヤ３７および第２中間ギヤ３８がそれぞれブラック現像ギヤ２５およびイエロー現像ギヤ２５と噛合する。これにより、第１中間ギヤ３７からブラック現像ギヤ２５に回転駆動力が伝達されるとともに、第１中間ギヤ３７から第２中間ギヤ３８を介してイエロー現像ギヤ２５に回転駆動力が伝達される。その結果、ブラック現像ローラ７２およびイエローの現像器７の現像ローラ７２が回転する。
【００８０】
モノクロモードでは、ブラック現像ギヤ２５と第１中間ギヤ３７とが噛合し、イエロー現像ギヤ２５と第２中間ギヤ３８との噛合が解除される。これにより、第１中間ギヤ３７からブラック現像ギヤ２５に回転駆動力が伝達される。第１中間ギヤ３７を介して第２中間ギヤ３８に回転駆動力が伝達されても、イエロー現像ギヤ２５と第２中間ギヤ３８とが噛合していないので、イエロー現像ギヤ２５には回転駆動力が伝達されない。そのため、モノクロモードでは、ブラック現像ローラ７２は回転し、イエロー、マゼンタおよびシアンの現像器７の現像ローラ７２は回転しない。
【００８１】
非駆動モードでは、ブラック現像ギヤ２５と第１中間ギヤ３７との噛合が解除される。これにより、第１中間ギヤ３７からブラック現像ギヤ２５に回転駆動力が伝達されない。第２中間ギヤ３８がブラック現像ギヤ２５と噛合し、第１中間ギヤ３７からブラック現像ギヤ２５を介して第２中間ギヤ３８に回転駆動力が伝達されるので、ブラック現像ギヤ２５に回転駆動力が伝達されないと、第２中間ギヤ３８に回転駆動力が伝達されず、イエロー現像ギヤ２５にも回転駆動力が伝達されない。したがって、非駆動モードでは、すべての現像ローラ７２が回転しない。
【００８２】
このように、モータ２１の回転駆動力をすべての現像ローラ７２またはブラック現像ローラ７２のみに切り換えて伝達することができる。よって、ブラック現像ローラ７２を回転させる必要がないときには、ブラック現像ローラ７２を停止させておくことができる。また、イエロー、マゼンタおよびシアンの現像器７の現像ローラ７２を回転させる必要がないときには、イエロー、マゼンタおよびシアンの現像器７の現像ローラ７２を停止させておくことができる。その結果、現像ローラ７２の無駄な回転によるトナーの劣化ならびに現像ローラ７２の摩耗を防止することができる。
【００８３】
そして、カラーモード、モノクロモードおよび非駆動モードのいずれにおいても、モータ２１から所定方向の回転駆動力が出力される。そのため、モータ２１を現像ローラ７２以外の部材の駆動源としても使用することができる。
４−２．作用効果２
第２中間ギヤ３８の回転中心は、ブラック現像ギヤ２５の回転中心とイエロー現像ギヤ２５の回転中心とを結ぶ線分に対して当該線分上におけるイエロー現像ギヤ２５のギヤ歯の移動方向（上方）の下流側に配置されている。言い換えれば、第２中間ギヤ３８の回転中心は、ブラック現像ギヤ２５の回転中心とイエロー現像ギヤ２５の回転中心とを結ぶ線分に対して当該線分上におけるブラック現像ギヤ２５のギヤ歯の移動方向（下方）の上流側に配置されている。そのため、ブラック現像ギヤ２５から第２中間ギヤ３８に回転駆動力が伝達されるときに、第２中間ギヤ３８（ギヤ歯）は、ブラック現像ギヤ２５から第２中間ギヤ３８がイエロー現像ギヤ２５に噛み込む方向の力を受ける。また、第２中間ギヤ３８からイエロー現像ギヤ２５に回転駆動力が伝達されるときに、第２中間ギヤ３８（ギヤ歯）は、イエロー現像ギヤ２５から第２中間ギヤ３８がブラック現像ギヤ２５に噛み込む方向の力を反力として受ける。その結果、第２中間ギヤ３８は、ブラック現像ギヤ２５およびイエロー現像ギヤ２５に強く噛み込み、ブラック現像ギヤ２５から第２中間ギヤ３８を介してイエロー現像ギヤ２５に回転駆動力を安定して伝達することができる。
４−３．作用効果３
駆動切断カム部材５１には、第２中間ギヤ用カム部５９が形成されている。駆動切断カム部材５１の直線移動に伴って、第２中間ギヤ用カム部５９が第２中間ギヤ３８を移動させることにより、イエロー現像ギヤ２５と第２中間ギヤ３８との噛合が解除される。
４−４．作用効果４
より具体的には、第２中間ギヤ用カム部５９は、第２中間ギヤ用傾斜面６０を有している。駆動切断カム部材５１の移動に伴って、第２中間ギヤ用傾斜面６０が第２中間ギヤ３８の回転軸４２に当接し、第２中間ギヤ３８が第２中間ギヤ用傾斜面６０から力を受けることにより、第２中間ギヤ３８が移動して、イエロー現像ギヤ２５と第２中間ギヤ３８との噛合が解除される。
【００８４】
そして、駆動切断カム部材５１の移動方向に沿った直線に対する第２中間ギヤ用傾斜面６０の傾斜角度は、直線に対するブラック現像ギヤ２５の回転中心と第２中間ギヤ３８の回転中心とを結ぶ線分の傾斜角度とほぼ同じである。そのため、第２中間ギヤ用傾斜面６０から第２中間ギヤ３８の回転軸４２にブラック現像ギヤ２５の回転中心と第２中間ギヤ３８の回転中心とを結ぶ線分と直交する方向の力を与えることができる。その結果、第２中間ギヤ３８をブラック現像ギヤ２５の回転中心まわりに良好に移動させることができ、イエロー現像ギヤ２５と第２中間ギヤ３８との噛合を良好に解除することができる。
４−５．作用効果５
非駆動モードでは、イエロー現像ギヤ２５と第２中間ギヤ３８との噛合が解除される。これにより、イエロー現像ギヤ２５に回転駆動力が伝達されることを確実に防止することができる。その結果、非駆動モードにおいて、イエロー、マゼンタおよびシアンの現像器７の現像ローラ７２の回転を確実に停止させておくことができる。
４−６．作用効果６
現像駆動伝達機構２６には、第１中間ギヤ３７と噛合する第３現像伝達ギヤ３６が含まれている。第３現像伝達ギヤ３６から第１中間ギヤ３７に回転駆動力を伝達することができる。
４−７．作用効果７
第１中間ギヤ３７の回転中心は、ブラック現像ギヤ２５の回転中心と第３現像伝達ギヤ３６の回転中心とを結ぶ線分に対して当該線分上におけるブラック現像ギヤ２５のギヤ歯の移動方向（上方）の下流側に配置されている。言い換えれば、第１中間ギヤ３７の回転中心は、ブラック現像ギヤ２５の回転中心と第３現像伝達ギヤ３６の回転中心とを結ぶ線分に対して当該線分上における第３現像伝達ギヤ３６のギヤ歯の移動方向（下方）の上流側に配置されている。そのため、第３現像伝達ギヤ３６から第１中間ギヤ３７に回転駆動力が伝達されるときに、第１中間ギヤ３７（ギヤ歯）は、第３現像伝達ギヤ３６から第１中間ギヤ３７がブラック現像ギヤ２５に噛み込む方向の力を受ける。また、第１中間ギヤ３７からブラック現像ギヤ２５に回転駆動力が伝達されるときに、第１中間ギヤ３７（ギヤ歯）は、ブラック現像ギヤ２５から第１中間ギヤ３７が第３現像伝達ギヤ３６に噛み込む方向の力を反力として受ける。その結果、第１中間ギヤ３７は、ブラック現像ギヤ２５および第３現像伝達ギヤ３６に強く噛み込み、第３現像伝達ギヤ３６から第２中間ギヤ３８を介してブラック現像ギヤ２５に回転駆動力を安定して伝達することができる。
４−８．作用効果８
駆動切断カム部材５１には、第１中間ギヤ用カム部５５が形成されている。駆動切断カム部材５１の直線移動に伴って、第１中間ギヤ用カム部５５が第１中間ギヤ３７を移動させることにより、ブラック現像ギヤ２５と第１中間ギヤ３７との噛合が解除される。
４−９．作用効果９
より具体的には、第１中間ギヤ用カム部５５は、第１中間ギヤ用傾斜面５６を有している。駆動切断カム部材５１の移動に伴って、第１中間ギヤ用傾斜面５６が第１中間ギヤ３７の中心軸に当接し、第１中間ギヤ３７が第１中間ギヤ用傾斜面５６から力を受けることにより、第１中間ギヤ３７が移動して、ブラック現像ギヤ２５と第１中間ギヤ３７との噛合が解除される。
【００８５】
そして、駆動切断カム部材５１の移動方向に沿った直線に対する第１中間ギヤ用傾斜面５６の傾斜角度は、直線に対する第１中間ギヤ３７の回転中心と第３現像伝達ギヤ３６の回転中心とを結ぶ線分の傾斜角度とほぼ同じである。そのため、第１中間ギヤ用傾斜面５６から第１中間ギヤ３７の中心軸に第１中間ギヤ３７の回転中心と第３現像伝達ギヤ３６の回転中心とを結ぶ線分と直交する方向の力を与えることができる。その結果、第１中間ギヤ３７を第３現像伝達ギヤ３６の回転中心まわりに良好に移動させることができ、ブラック現像ギヤ２５と第１中間ギヤ３７との噛合を良好に解除することができる。
４−１０．作用効果１０
切換機構２７には、モータ２１からの回転駆動力によって回転する回転部材５３と、回転部材５３の回転を駆動切断カム部材５１の往復直線移動に変換するリンク機構５４とが含まれている。そのため、モータ２１からの回転駆動力を利用して、駆動切断カム部材５１を往復直線移動させることができる。すなわち、モータ２１を駆動切断カム部材５１の駆動源として使用することができる。その結果、カラープリンタ１に備えられる駆動源の数を減らすことができる。
４−１１．作用効果１１
カラープリンタ１には、ブラック現像器７からブラックのトナーが供給されるブラック感光ドラムと、カラー現像器７からトナーが供給されるカラー感光ドラム５とが備えられている。また、ブラック感光ドラム５およびカラー感光ドラム５にそれぞれブラック現像ローラ７２およびカラー現像器７の現像ローラ７２を圧接させるための押圧機構２８が備えられている。
【００８６】
押圧機構２８は、モータ２１からの回転駆動力を利用して、ブラック現像ローラ７２およびカラー現像器７の現像ローラ７２をそれぞれブラック感光ドラム５およびカラー感光ドラム５に圧接させ、また、その圧接状態を解除する。すなわち、モータ２１が押圧機構２８の駆動源として使用される。これにより、カラープリンタ１に備えられる駆動源の数をさらに減らすことができる。
４−１２．作用効果１２
また、モータ２１からの回転駆動力をブラック感光ドラム５およびカラー感光ドラム５に伝達するドラム駆動伝達機構（２段ギヤ２４のモータギヤ噛合部３１など）が備えられている。モータ２１からの回転駆動力を利用して、ブラック感光ドラム５およびカラー感光ドラム５を回転（駆動）させることができる。すなわち、モータ２１をブラック感光ドラム５およびカラー感光ドラム５の駆動源として使用することができる。その結果、カラープリンタ１に備えられる駆動源の数を減らすことができる。
５．変形例
以上、本発明の一実施形態について説明したが、前述の構成には、特許請求の範囲に記載された事項の範囲で種々の設計変更を施すことが可能である。
【００８７】
たとえば、第１中間ギヤ３７は、ブラック現像ギヤ２５に対して噛合／噛合解除可能に設けられているとしたが、ブラック現像ギヤ２５および第３現像伝達ギヤ３６に対して噛合／噛合解除可能に設けられていてもよい。
【００８８】
また、第２中間ギヤ３８は、イエロー現像ギヤ２５に対して噛合／噛合解除可能に設けられているとしたが、ブラック現像ギヤ２５およびイエローの現像器７の現像ギヤ２５に対して噛合／噛合解除可能に設けられていてもよい。
【００８９】
また、第２中間ギヤ３８は、非駆動モード時に、イエロー現像ギヤ２５に対して噛合解除するように設けられていたが、第２中間ギヤがイエロー現像ギヤ２５に噛合するように設けられていてもよい。
【符号の説明】
【００９０】
１    カラープリンタ
５    感光ドラム
７    現像器
２１  モータ
２４  ２段ギヤ
２５  現像ギヤ
２６  現像駆動伝達機構
２７  切換機構
２８  押圧機構
３１  モータギヤ噛合部
３６  第３現像伝達ギヤ
３７  第１中間ギヤ
３８  第２中間ギヤ
５１  駆動切断カム部材
５３  回転部材
５４  リンク機構
５５  第１中間ギヤ用カム部
５６  第１中間ギヤ用傾斜面
５９  第２中間ギヤ用カム部
６０  第２中間ギヤ用傾斜面
【図１】
0005418533.tif 000002
【図２】
0005418533.tif 000003
【図３】
0005418533.tif 000004
【図４】
0005418533.tif 000005
【図５】
0005418533.tif 000006